【事件の表示】
　平成　９年特許願第２９３２５８号「治療具及びテープ付き治療具」拒絶査定不服審判事件〔平成１０年　６月３０日出願公開、特開平１０−１７４７２２号〕について、次のとおり審決する。
【結　論】
　本件審判の請求は、成り立たない。
【理　由】
Ｉ．手続の経緯・本願発明
　本願は、平成９年１０月８日の出願であって、平成１７年１２月９日付けで拒絶査定がなされ、これに対し、平成１８年１月１７日に拒絶査定不服審判の請求がなされたものであり、その請求項１に係る発明は、平成１７年１月１１日付け手続補正書により補正された明細書及び図面の記載からみて、その特許請求の範囲の請求項１に記載された事項により特定される次のとおりのものである（以下、「本願発明」という）。
　
「一方向電流整流素子を備え、
該一方向電流整流素子の両極性端子から伸延し、且つ一方向電流整流素子をその中心として外延部周囲に略円形状に周回する銅線を素材とする電流捕捉プローブを設け、
該電流捕捉プローブの外周表面を金，銀，チタン，プラチナなどの中のいずれかの金属でメッキを施し、
前記一方向電流整流素子の全部若しくは一部を露出するスリットを開設して、片面に粘着性を帯有するテープを具備すると共に、
前記一方向電流整流素子及び前記電流捕捉プローブが一体を成す一面から前記テープを患部皮膚面に押圧して、前記一体の多面が前記皮膚面に装着されるようにして構成されたことを特徴とするテープ付き治療具。」（なお、上記「多面」は、「他面」の誤記と考えられるが、そのままに認定する。）
　
II．引用例の記載事項
　原査定の拒絶の理由に引用された、特開平５−１５４２０５号公報（以下、「引用例」という。）には、図面と共に次の事項が記載されている。
　ａ．「【課題を解決するための手段】本発明の第１の要旨は、一対の極が設けられた一方向電気整流素子１の周囲に両極と導通された電流捕捉プローブ２を設けた治療具である。」（【００１０】段落）
ｂ．「また、本発明にかかる治療具を通気性が良く、透明なテープにより患部に貼りつけるようにしてもよい。」（【００１２】段落）
　ｃ．「そこで、本発明者は、前記細胞群からこの異常電圧をより多く捕捉することで治癒効率が高められることを見い出したのである。また、本発明にかかる治療具を通気性のよい、透明なテープで患部に貼りつけることにより、患部を押圧し、異常電圧の消去と共に患部の押圧を行うことができ、血行停渋の緩和も行えると共に、当該治療具に光線を集積させ、当該治療具が起熱することで温熱灸効果が得られる。・・・（中略）・・・
【実施例１】図１および図２は、本発明の治療具を示す平面図および側面図である。本実施例の治療具は、中央に配置された一方向電気整流素子１と、この周囲に設けられた銅箔３（金属箔）とからなる。」（【００１８】、【００１９】段落）
　ｄ．「このようにして構成された治療具は、この治療具よりも大径の粘着面を備えた粘着テープ片１４により図３に示すように患部１３に貼着される。ここで、粘着テープ片１４としては、通気性が良く且つ透明な素材を使用することが好ましい。」（【００２４】段落）
　ｅ．「【実施例３】本実施例３は図５に示すように、一方向電気整流素子１の両端から導出されたリード４（導電性金属線）をこの一方向電気整流素子１の周囲で巻回した構造を有している。リード４の表面には金鍍金が施されており、人体の汗等によるリード４の酸化・腐食が防止される構造となっている。ここで、金鍍金を施した状態のリード４の径は、好ましくは９ｍｍとする。
　本実施例ではリード４が電流捕捉プローブ２として機能する。このように本実施例では、部材点数が少なく、極めて簡易な構造でかつ安価に治療具を構成できる。
　また、上記の金鍍金として、好ましくは２４Ｋ金を用いることにより、金属によるかぶれを防止できると共に、導電性の向上、防錆効果を得ることが可能となる。」（【００３１】〜【００３３】段落）
　
　記載ａ．に「一方向電気整流素子１の周囲に両極と導通された電流捕捉プローブ２を設けた治療具である」とあることから、引用例には、一方向電流整流素子を備える治療具が記載されている。また、同治療具に関して、記載ｅ．に「一方向電気整流素子１の両端から導出されたリード４（導電性金属線）をこの一方向電気整流素子１の周囲で巻回した構造を有している」とあるが、その構造について図５を参照すると、「一方向電気整流素子１の周囲で巻回」とは、一方向電流整流素子をその中心として、外延部周囲に略円形状にリード４（導電性金属線）を周回させていることが認められ、図７にも同様の図示がなされているので、引用例には、一方向電流整流素子の両極性端子からリード４（導電性金属線）を伸延し、且つ一方向電流整流素子をその中心として外延部周囲に略円形状に周回することが記載されている。また、この周回するリード４（導電性金属線）に関して、記載ｅ．には、さらに、「リード４の表面には金鍍金が施されており、・・・本実施例ではリード４が電流捕捉プローブ２として機能する」とあり、リード４の表面に金メッキを施すことと、リード４が電流補足プローブ２を構成することが記載されている。
　記載ｄ．に、「この治療具よりも大径の粘着面を備えた粘着テープ片１４により図３に示すように患部１３に貼着される。ここで、粘着テープ片１４としては、通気性が良く且つ透明な素材を使用することが好ましい」とあり、また、記載ｂ．に、「治療具を通気性が良く、透明なテープにより患部に貼りつけるようにしてもよい」とあり、一方、図３より、貼着は患部１３の皮膚面に対してなされることが明らかであり、また、粘着テープ片１４は粘着面を備えていることから、その片面に粘着性を帯有することも明らかであるので、引用例には、一方向電流整流素子１と、リード４（導電性金属線）と、通気性のある、片面に粘着性を帯有する粘着テープ片１４を具備すると共に、一方向電流整流素子１及び前記リード４（導電性金属線）が一体を成す一面から前記粘着テープ片１４を患部１３の皮膚面に押圧して、前記一体の多面が前記患部１３の皮膚面に装着されるようにして構成された粘着テープ片１４付き治療具が記載されているといえる。
　
　これら記載事項及び図示内容を総合し、本願発明の記載ぶりに則って整理するすると、引用例には、次の発明（以下、「引用発明」という。）が記載されている。
「一方向電流整流素子１を備え、
該一方向電流整流素子１の両極性端子から伸延し、且つ一方向電流整流素子１をその中心として外延部周囲に略円形状に周回するリード４（導電性金属線）からなる電流捕捉プローブ２を設け、
該電流捕捉プローブ２の外周表面を金でメッキを施し、
通気性があり片面に粘着性を帯有する粘着テープ片１４を具備すると共に、
前記一方向電流整流素子１及び前記電流捕捉プローブ２が一体を成す一面から前記粘着テープ片１４を患部１３の皮膚面に押圧して、前記一体の多面が前記皮膚面に装着されるようにして構成された粘着テープ片１４付き治療具。」
　
III．対比
　本願発明と引用発明とを対比すると、その構造または機能からみて、引用発明の「治療具」は、本願発明の「治療具」に相当し、以下同様に、「一方向電流整流素子１」は「一方向電流整流素子」に、「電流捕捉プローブ２」は「電流捕捉プローブ」に、「粘着テープ片１４」は「粘着性を帯有するテープ」に、「患部１３の皮膚面」は「患部皮膚面」に、それぞれ相当する。
　また、引用発明の「通気性が」ある「粘着テープ片１４」と、本願発明の「スリットを開設」した「粘着性を帯有するテープ」とは、スリットの開設により、テープに通気性が付与されることが明らかなことから、ともに「通気性が付与された」「粘着性を帯有するテープ」である点で共通し、引用発明の「リード４（導電性金属線）」と本願発明の「銅線」とは、ともに「導電性金属からなる線」である点で共通している。
　
　そこで、本願発明の用語を用いて表現すると、両者は次の点で一致する。
（一致点）
「一方向電流整流素子を備え、
該一方向電流整流素子の両極性端子から伸延し、且つ一方向電流整流素子をその中心として外延部周囲に略円形状に周回する導電性金属からなる線を素材とする電流捕捉プローブを設け、
該電流捕捉プローブの外周表面を金，銀，チタン，プラチナなどの中のいずれかの金属でメッキを施し、
通気性が付与された、片面に粘着性を帯有するテープを具備すると共に、
前記一方向電流整流素子及び前記電流捕捉プローブが一体を成す一面から前記テープを患部皮膚面に押圧して、前記一体の多面が前記皮膚面に装着されるようにして構成されたテープ付き治療具。」
　
　そして、両者は次の相違点１、２で相違する（対応する引用例記載の用語を（　）内に示す）。
（相違点１）
　本願発明の電流捕捉プローブは、銅線を素材とするものであるのに対して、引用発明の電流捕捉プローブ（電流捕捉プローブ２）は、導電性金属からなる線を素材とするものの、導電性金属として何を用いるか明らかではない点。
　
（相違点２）
　本願発明は、一方向電流整流素子の全部若しくは一部を露出するスリットを開設して、粘着性を帯有するテープに通気性を付与したものであるのに対し、引用発明は、通気性がある粘着性を帯有するテープ（粘着テープ片１４）により通気性が付与されているものの、通気性を付与する具体的な手段が明らかではない点。
　
IV．判断
（相違点１について）
　導電性金属の線として、銅線は、特段の例示を待つまでもなく従来周知のものであり、しかも引用例の「電流捕捉プローブ２」には、銅箔３の例示（記載ｃ．参照）もあることから、相違点１に係る本願発明の発明特定事項のようにすることは、当業者が適宜なし得た設計上の事項にすぎない。
　
（相違点２について）
　粘着性を帯有するテープに通気性を付与する手段として通気孔を設けることは、従来周知の技術（参考例　原査定の拒絶の理由に引用された、特開平８−１１７３４８号公報）であり、一方、本願の請求項３には「前記スリットとして、相互に間隔を有する複数個の小孔とする」との限定が記載されていることから、本願発明に係る「スリット」は、その下位概念として「小孔」を包含するものであって、所謂通気孔を排除することなく包含しているものであるといえる。
　してみると、相違点２に係る本願発明の発明特定事項は、通気孔という通気性を付与する手段として周知の技術を包含するものであるので、引用発明に通気性を付与する手段として、かかる周知技術を適用して、相違点２に係る本願発明の発明特定事項のようにすることは当業者が容易に想到し得たことである。
　
　そして、本願発明による効果も、引用発明及び周知技術から当業者が予測し得た程度のものであって、格別のものとはいえない。
　
　なお、請求人は、電流捕捉プローブについて、引用例（特開平５−１５４２０５号公報）記載のものは「図１を基本とするものであり、・・・一方向性整流素子１に両端から導出されたリードと電流捕捉プローブ２とプローブの内方に突出する部分らは、機械的にも電気的にも固着・接続されているのです」（審判請求書　【請求の理由】３　立証の趣旨の欄）として、本願発明と相違する旨主張しているが、本願発明は、「電流捕捉プローブ」について、「一方向電流整流素子の両極性端子から伸延し、且つ一方向電流整流素子をその中心として外延部周囲に略円形状に周回する銅線を素材とする電流捕捉プローブ」とのみ特定するものであり、この限りにおいて、本願発明の「電流捕捉プローブ」は、引用発明の「電流捕捉プローブ２」と格別相違するものではない。
　また、本願発明の電流捕捉プローブが、銅線を絶縁被覆したものであるならともかく、本願発明の電流捕捉プローブは外周表面に金等でメッキを施して銅線表面の導電性を維持した状態で、片面に粘着性を帯有するテープでこれを患部皮膚面に押圧して装着するものであり、導電性をもつ一対の銅線同士を押圧した状態で装着するものであるので、本願発明は、装着時電流補足プローブを構成する一対の銅線間が電気的に接続された状態であるものを排除するものともいえないから、電気的接続の点で引用発明の「電流捕捉プローブ２」と相違する旨の請求人の主張は、いずれにせよ採用することができない。
　
Ｖ．むすび
　したがって、本願発明は、引用発明及び周知技術に基いて、当業者が容易に発明をすることができたものであるので、特許法第２９条第２項の規定により、特許を受けることができない。
　よって、結論のとおり審決する。